(57)【要約】  前方および後方方向ならびに径方向外側および径方向内側方向を規定する中心長手方向軸を有する一体型照明およびスピーカ装置が提供される。上記装置は、ツイータと、ツイータの径方向外側に位置決めされたツイータホーンと、ツイータホーンの後方に位置決めされたスピーカと、ツイータの径方向外側に位置決めされた発光ダイオード（ＬＥＤ）アセンブリとを備える。ＬＥＤアセンブリは、１つ以上の発光ダイオード（ＬＥＤ）と、前面を有するレンズとを備える。ツイータホーンは、ツイータの外縁と連通している内縁を有することにより、ツイータホーンは、使用時にツイータによって生成された音をスピーカから離れる方に導くためのガイドを形成する。ツイータホーンの少なくとも一部は、レンズの前面によって提供される。
2021522700.tif 000002
【特許請求の範囲】
【請求項１】
前方および後方方向ならびに径方向外側および径方向内側方向を規定する中心長手方向軸を有する一体型照明およびスピーカ装置であって、
ツイータと、
前記ツイータの径方向外側に位置決めされたツイータホーンと、
前記ツイータホーンの後方に位置決めされたスピーカと、
前記ツイータの径方向外側に位置決めされた発光ダイオード（ＬＥＤ）アセンブリとを備え、前記ＬＥＤアセンブリは、１つ以上の発光ダイオード（ＬＥＤ）と、前面を有するレンズとを備え、
前記ツイータホーンは、前記ツイータの外縁と連通している内縁を有することにより、前記ツイータホーンは、使用時に前記ツイータによって生成された音を前記スピーカから離れる方に導くためのガイドを形成し、
前記ツイータホーンの少なくとも一部は、前記レンズの前記前面によって提供される、装置。
【請求項２】
前記ツイータホーンは、カップ部を備え、前記カップ部の内縁は、前記レンズの前記前面の外縁と連通している、請求項１に記載の装置。
【請求項３】
前記ツイータホーンは、前記カップ部の前記外縁と連通している内縁を有するリム部を備え、前記リム部の外縁は、使用時に前記スピーカからの音が通ることができる１つ以上の切り込みを備える、請求項２に記載の装置。
【請求項４】
前記１つ以上のＬＥＤは、使用時に光が前記ＬＥＤの各々によって概して前方方向に前記レンズに向かって発せられるように前記レンズの後方に取り付けられる、先行する請求項のいずれか１項に記載の装置。
【請求項５】
前記ＬＥＤアセンブリは、使用時に光を前記ＬＥＤから前記レンズの方に反射させるように構成された反射器をさらに備える、先行する請求項のいずれか１項に記載の装置。
【請求項６】
前記１つ以上のＬＥＤは、光が前記ＬＥＤの各々によって概して内側方向に前記反射器に向かって発せられるように取り付けられる、請求項５に記載の装置。
【請求項７】
前記反射器は、１つ以上の円錐台状面を備える、請求項５または６に記載の装置。
【請求項８】
前記反射器は、複数の個々の反射器面を備える、請求項５または６に記載の装置。
【請求項９】
前記レンズは、環状レンズである、先行する請求項のいずれか１項に記載の装置。
【請求項１０】
前記レンズは、複数の個々のレンズを備える、請求項１〜８のいずれか１項に記載の装置。
【請求項１１】
前記複数の個々のレンズはともに、環状レンズ構成を形成する、請求項１０に記載の装置。
【請求項１２】
前記レンズの前記前面の内縁は、前記ツイータの前記外縁と連通している、先行する請求項のいずれか１項に記載の装置。
【請求項１３】
前記ツイータホーンは、スロート部をさらに備え、前記ツイータホーンの前記スロート部の内縁は、前記ツイータの前記外縁と連通しており、前記スロート部の外縁は、レンズの前記前面の内縁と連通している、請求項１〜１１のいずれか１項に記載の装置。
【請求項１４】
前記ツイータホーンは、円錐台状または角錐台状である、先行する請求項のいずれか１項に記載の装置。
【請求項１５】
前記ツイータおよび前記ＬＥＤアセンブリを支持するキャリアをさらに備える、先行する請求項のいずれか１項に記載の装置。
【請求項１６】
前記キャリアは、前記１つ以上のＬＥＤからツイータホーンに熱を伝導するように配置され、使用時に前記熱を放散させる、請求項１５に記載の装置。
【請求項１７】
前記キャリアは、前記ツイータホーンによって支持される、請求項１５または１６に記載の装置。
【請求項１８】
前記ツイータホーンおよび前記キャリアは、単一の材料から形成される、請求項１７に記載の装置。
【請求項１９】
前記スピーカを支持するシャーシをさらに備える、先行する請求項のいずれか１項に記載の装置。
【請求項２０】
前記ツイータホーンは、前記シャーシに接続され、前記シャーシによって支持される、請求項１９に記載の装置。
【請求項２１】
前記シャーシに接続され、前記シャーシによって支持された支持フレームをさらに備え、前記支持フレームは、前記ツイータホーンおよび／または前記キャリアを支持する、請求項１９に記載の装置。
【請求項２２】
前記シャーシによって支持されるコントローラと、
前記コントローラから前記ツイータおよび前記１つ以上のＬＥＤに電力および制御信号を供給するように構成された複数のワイヤとをさらに備える、請求項１９〜２１のいずれか１項に記載の装置。
【請求項２３】
ツイータを備える一体型照明およびスピーカ装置で使用される環状発光ダイオード（ＬＥＤ）アセンブリであって、前記ＬＥＤアセンブリは、前方および後方方向ならびに径方向外側および径方向内側方向を規定する中心長手方向軸を有し、前記アセンブリは、
リング状に配置された１つ以上の発光ダイオード（ＬＥＤ）と、
環状レンズと、
使用時に光を前記ＬＥＤから前記レンズの方に反射させるように構成された環状反射器とを備える、アセンブリ。
【請求項２４】
前記１つ以上のＬＥＤは、光が前記ＬＥＤの各々によって概して内側方向に前記反射器に向かって発せられるように取り付けられる、請求項２３に記載のアセンブリ。
【請求項２５】
前記反射器は、１つ以上の円錐台状面を備える、請求項２３または２４に記載のアセンブリ。
【請求項２６】
前記１つ以上のＬＥＤは、第１の色を有する１つ以上のＬＥＤと、前記第１の色とは異なる第２の色を有する１つ以上のＬＥＤとを備える、請求項２３〜２５のいずれか１項に記載のアセンブリ。
【請求項２７】
前記リング状の前記ＬＥＤは、前記第１の色を有する各ＬＥＤが前記第２の色を有するＬＥＤに隣接するように配置される、請求項２６に記載のアセンブリ。
【請求項２８】
前方および後方方向ならびに径方向外側および径方向内側方向を規定する中心長手方向軸を有する一体型照明およびスピーカ装置であって、
シャーシと、
請求項２３〜２７のいずれか１項に記載の環状発光ダイオード（ＬＥＤ）アセンブリと、
前記シャーシによって支持され、前記アセンブリの後方に位置決めされたスピーカとを備える、一体型照明およびスピーカ装置。
【請求項２９】
前記アセンブリの径方向内側に位置決めされたツイータをさらに備える、請求項２８に記載の一体型照明およびスピーカ装置。
【請求項３０】
前記シャーシに接続され、前記シャーシによって支持された支持フレームをさらに備え、前記支持フレームは、前記アセンブリを支持する、請求項２８または２９に記載の一体型照明およびスピーカ装置。
【請求項３１】
前記シャーシによって支持され、前記アセンブリを支持するように構成されたプレス加工グリルをさらに備える、請求項２８または２９に記載の一体型照明およびスピーカ装置。
【請求項３２】
導電性トラックが前記グリル上に設けられ、使用時に電力を前記アセンブリに供給するように構成される、請求項３１に記載の一体型照明およびスピーカ装置。
【請求項３３】
少なくとも部分的に前記中心長手方向軸に沿って位置決めされ、前記シャーシに接続され、前記シャーシによって支持された磁極片をさらに備え、前記磁極片は、前記アセンブリを支持するように構成される、請求項２８に記載の一体型照明およびスピーカ装置。
【請求項３４】
前方および後方方向ならびに径方向外側および径方向内側方向を規定する中心長手方向軸を有する一体型照明およびラウドスピーカ装置であって、
照明アセンブリと、
前記照明アセンブリの後方に位置決めされたスピーカと、
蓄電部材とを備え、前記蓄電部材は、前記照明およびラウドスピーカ装置が主電源に接続されていないときに電力を前記照明およびラウドスピーカ装置に供給するように構成される、一体型照明およびラウドスピーカ装置。
【請求項３５】
前記照明アセンブリは、請求項２３〜２７のいずれか１項に記載のＬＥＤアセンブリである、請求項３４に記載の一体型照明およびラウドスピーカ装置。
【請求項３６】
前記照明アセンブリは、前記スピーカの径方向内側に位置決めされる、請求項３４または３５に記載の照明およびラウドスピーカ装置。
【請求項３７】
蓄電部材をさらに備え、前記蓄電部材は、前記照明およびラウドスピーカ装置が主電源に接続されていないときに電力を前記照明およびラウドスピーカ装置に供給するように構成される、請求項１〜２２または２８〜３３のいずれか１項に記載の一体型照明およびラウドスピーカ装置。
【請求項３８】
前記蓄電部材は、充電式バッテリまたはキャパシタである、請求項３４〜３７のいずれか１項に記載の一体型照明およびラウドスピーカ装置。
【請求項３９】
前記蓄電部材は、前記照明およびラウドスピーカ装置のハウジング内に収容される、請求項３３〜３８のいずれか１項に記載の一体型照明およびラウドスピーカ装置。
【請求項４０】
前記蓄電部材は、前記照明およびラウドスピーカ装置のハウジングとは別の、前記スピーカおよび前記照明アセンブリに電気的に接続されたアンビリカルハウジングに収容される、請求項３３〜３８のいずれか１項に記載の一体型照明およびラウドスピーカ装置。
【請求項４１】
先行する請求項のいずれか１項に記載の装置またはアセンブリを提供するように組み立てられることができる部品キット。
【請求項４２】
先行する請求項のいずれか１項に記載の装置、アセンブリまたは部品キットの製造方法。
【請求項４３】
一体型照明およびラウドスピーカ装置における請求項２３〜２７のいずれか１項に記載のアセンブリの使用。
【発明の詳細な説明】
【技術分野】
【０００１】
発明の分野
本発明は、照明およびスピーカ装置に関し、また、照明およびスピーカ装置で使用される環状ＬＥＤアセンブリに関する。
【背景技術】
【０００２】
発明の背景
スピーカ名称集
図１は、公知のスピーカ装置１００の断面図である。スピーカ装置１００は、ロールサラウンド１１０と、シャーシ１１２と、コーン１１４と、ダストキャップ１１６と、スパイダ１１８と、ティンセル１２０と、ボイスコイル構成物１２２と、ラジアル磁石１２４と、ボイスコイル１２６と、ボイスコイル空隙１２８と、外側鋼１３０と、磁極片鋼１３２と、端子１３４とを備える。
【発明の概要】
【発明が解決しようとする課題】
【０００３】
目的
本発明の目的は、天井埋め込み型据え付けのための改良された統合型スピーカおよびダウンライト（一体型照明およびスピーカ装置）を提供することである。
【課題を解決するための手段】
【０００４】
望ましくは、本発明に係る一体型照明およびスピーカ「スマートライト」装置は、住宅に据え付けられる通常の照明器具の代わりになるべきである。たとえば、本発明に係る装置は、ＧＵ１０ダウンライト器具に取って代わるように据え付けられてもよい。容易にこのような器具に取って代わるようにするために、これらの装置は、置き換えられる器具と同様のサイズを有することが望ましい。場合によっては、およそ５％のサイズアップは許容できる。
【０００５】
好ましくは、一体型照明およびスピーカ装置は、少なくとも７００ルーメンを発するべきである。これは、スマートライト装置が標準的なハロゲンバルブと同等またはそれ以上の照明を生じさせるようにするためである。
【０００６】
一体型照明およびスピーカ装置のスピーカ構成は、ＳｏｕｎｄＴｏｕｃｈ  １０（ＲＴＭ）、Ｂｏｓｅ（ＲＴＭ）およびＳｏｎｏｓ  Ｐｌａｙ１（ＲＴＭ）などの市販のモノポイントスピーカと同様の音響特性を有するべきである。
【０００７】
本発明に係るものではない先行実施形態に係る一体型照明およびラウドスピーカ装置
この上記の目的に対処するために多くの異なる実施形態が開発されてきた。第１の特定の例では、装置はシングルフルレンジスピーカを含む。このようなスピーカは、高周波数（ＨＦ）および低周波数（ＬＦ）入力信号の優れた再生を提供することができるべきである。
【０００８】
図２は、上記の一体型照明およびスピーカ装置２００の断面図である。装置２００は、ＬＥＤレンズ２１０と、３ＬＥＤ基板２１２と、凝縮ヒートパイプ２１４と、ＬＥＤステム２１６と、フルレンジ駆動ユニット２１８と、ケース２２０と、ヒートシンク２２２とを備える。このような装置は、特許公報ＷＯ２０１６／１３５５１７の主題である装置と同様である。
【０００９】
発光ダイオード（ＬＥＤ）は、スピーカのダストキャップを取り外して少数の（たとえば、１〜６個の）高出力ＬＥＤをステム上に取り付けることによって装置に統合され、このステムは、ボイスコイル構成物を通って磁極片に取り付けられている。
【００１０】
高ルーメン出力ＬＥＤは、元来、低出力ＬＥＤパッケージと比較して効率が悪いため、投入される電力ワットごとにより多くの廃熱を生じさせるであろう。
【００１１】
ＬＥＤの過剰な加熱は、ＬＥＤの寿命を著しく縮めたり、ＬＥＤの動作を停止させたりする可能性がある。したがって、この実施形態において廃熱を管理するために、凝縮ヒートパイプをＬＥＤステムから駆動装置の磁極片を介してケースの背面のヒートシンクまで延在させる必要がある。
【００１２】
上記のシングルフルレンジ駆動ユニットを含むシステムは、生成される音の質の点で欠点を有する。
【００１３】
同軸に統合されたツイータを含むスピーカシステム
これらの欠点に対処するために、分離したツイータをアセンブリに追加してスピーカと統合してもよい。ＬＥＤを含まないスピーカシステムでは、ツイータを駆動ユニット内に同軸に統合するための考えられるアプローチは２つある。
【００１４】
タイプ１は、図３ａに示されている。この例では、ツイータは、磁極片の上方に位置決めされ、ボイスコイル構成物の最上部およびコーンの開始部と面一になっている。これは、単純であり、優れた音響性能を提供する。照明をこの構成と統合すると、照明がどこにあっても重大な問題が生じる。図３ｂは、照明アセンブリ３１０のいくつかの考えられる位置を示している。位置３１０Ａのように照明がこのツイータ３１２を取り囲むように設置される場合には、ボイスコイルを移動させることによって照明がちらつくことになるであろう。位置３１０Ｂに示されるように照明がベゼルとツイータとの間で途中まで前方に引っ張り出される場合には、照明の後方での音響反射がＨＦ音響性能を妨げることになるであろう。位置３１０Ｃに示されるように照明がベゼルと面一に設置される場合には、ＬＥＤからのまぶしい光が問題になる。
【００１５】
タイプ２は、図３ｃに示されている。この例では、ツイータは、ボイスコイル構成物の最上部から突き出るステム上に取り付けられており、ツイータおよびケースは、ボイスコイルよりも大きな直径を有し得る。
【００１６】
これらの設計は両方とも、ボイスコイル空隙の周囲の空気漏れの問題があり、この空気漏れは、ＬＦ性能を低下させる。それらは、ボイスコイル構成物とシャーシとの間であってサスペンションまたはシールドサスペンションの下方に第２のロールサラウンド３１４を必要とする。
【００１７】
上記の同軸に統合されたツイータ構成のいずれでも、ツイータが邪魔になるので、ボイスコイルの中心を通る熱経路はもはや利用できない。したがって、ＬＥＤ統合のための新たなアプローチが必要である。
【００１８】
概要
本発明の第１の局面に従って、一体型照明およびスピーカ装置が提供される。この装置は、前方および後方方向ならびに径方向外側および径方向内側方向を規定する中心長手方向軸を有する。この装置は、ツイータと、ツイータの径方向外側に位置決めされたツイータホーンと、ツイータホーンの後方に位置決めされたスピーカと、発光ダイオード（ＬＥＤ）アセンブリとを備える。ＬＥＤアセンブリは、ツイータの径方向外側に位置決めされる。ＬＥＤアセンブリは、１つ以上の発光ダイオード（ＬＥＤ）と、前面を有するレンズとを備える。ツイータホーンは、ツイータの外縁と連通している内縁を有することにより、ツイータホーンは、使用時にツイータによって生成された音をスピーカから離れる方に導くためのガイドを形成する。ツイータホーンの少なくとも一部は、レンズの前面によって提供される。
【００１９】
スピーカは、低周波数範囲の音を提供するために使用されてもよく、ツイータは、より高い周波数範囲の音を提供するために使用されてもよい。有利なことに、ＬＦ音域およびＨＦ音域に対してそれぞれ別々のスピーカおよびツイータ構成要素を設けることによって、フルレンジシングルスピーカ装置よりも音質が向上する。
【００２０】
ツイータコーンを設けることによって、ツイータからのＨＦ音をＬＦスピーカから離れる方に導くことができる。有利なことに、ホーンの存在によって、ＬＦスピーカとのＨＦ音の干渉は低減される。レンズは、光がランベルト源であるかまたはスポットとして導かれるように構成されてもよい。これに関連して、レンズのフレネル特徴を使用して、光源自体の角度を変化させるのではなくレンズを回転させることによってスポットを導いてもよい。
【００２１】
照明は、ＬＥＤアセンブリを設けることによって装置に統合されてもよく、ＬＥＤアセンブリのレンズは、ツイータホーンの一部を形成する。これは、単一の装置において高品質の光および音を有するコンパクトな解決策を提供する。
【００２２】
ツイータホーンは、カップ部を備えてもよく、カップ部の内縁は、レンズの前面の外縁と連通していてもよい。カップ部は、レンズの径方向外側に位置決めされてもよい。
【００２３】
代替的に、ＬＥＤアセンブリのレンズは、さらなるカップ部を必要とすることなく、ツイータホーンの実質的に全てを提供してもよい。
【００２４】
ツイータホーンは、カップ部の外縁と連通している内縁を有するリム部を備えてもよい。リム部の外縁は、使用時にスピーカからの音が通ることができる１つ以上の切り込みを備えてもよい。ツイータホーンは、カップ部の径方向外側に位置決めされてもよい。
【００２５】
ツイータホーンに「羽根状」リムを提供することによって、ＨＦ音をＬＦスピーカから離れる方に導くことができるツイータホーンを提供しながら、ＬＦスピーカからの音がツイータホーンの切り込みを通ることを可能にすることで全体的な音質を向上させることができる。
【００２６】
ツイータホーンのカップおよびリムは、単一の材料から形成されてもよい。
１つ以上のＬＥＤは、使用時に光がＬＥＤの各々によって概して前方方向にレンズに向かって発せられるようにレンズの後方に（「水平な」態様で、すなわち前方を向いて）取り付けられてもよい。
【００２７】
ＬＥＤアセンブリは、使用時に光をＬＥＤからレンズの方に反射させるように構成された反射器をさらに備えてもよい。言い換えれば、反射器は、光をＬＥＤから前方方向に導いてもよい。反射器は、レンズの後方に位置決めされてもよい。
【００２８】
１つ以上のＬＥＤは、光がＬＥＤの各々によって概して内側方向に反射器に向かって発せられるように取り付けられてもよい。ＬＥＤは、「垂直の」態様で反射器の径方向外側に取り付けられてもよい。
【００２９】
代替的に、ＬＥＤは、ＬＥＤからの光が概して外側方向に反射器に向かって発せられるように「垂直の」態様で取り付けられてもよい。反射器は、ＬＥＤの径方向外側に位置決めされて、光を前方にレンズの方に導いてもよい。
【００３０】
反射器は、１つ以上の円錐台状面を備えてもよい。代替的に、これらの面は、角錐台状であってもよい。
【００３１】
ＬＥＤが垂直に取り付けられて光を内側に導くように構成される場合、反射器は、外側円錐台面であってもよい。
【００３２】
ＬＥＤが水平に取り付けられて光を前方に導く場合、２つの反射器が設けられてもよく、１つはＬＥＤリングの内側に設けられ、１つは外側に設けられてもよい。ＬＥＤの径方向内側に外側円錐台面が設けられてもよく、ＬＥＤの径方向外側に内側円錐台面が設けられてもよい。この構成により、ＬＥＤからの光がＬＥＤからある角度で前方方向に発せられたとしても光を前方に導くことができる。これは、（たとえば、レンズを介して）空間内に導かれるＬＥＤからの光の量を向上させ、構成の効率を向上させる。
【００３３】
空間内に前方に導かれる光の量をさらに増やすために、リング状のＬＥＤ間にさらなる反射器が設置されてもよい。
【００３４】
反射器は、複数の個々の反射器面を備えてもよい。これらの面は、円錐台状であってもよく、または実質的に平面（または、組み合わせ）であってもよい。これは、図１２に示されている。
【００３５】
レンズは、環状レンズであってもよい。代替的に、レンズは、複数の個々のレンズを備えてもよく、複数の個々のレンズはともに、環状レンズ構成を形成してもよい。
【００３６】
レンズの前面の内縁は、ツイータの外縁と連通していてもよい。これは、ツイータからのＨＦ音がツイータおよびスピーカから離れる方にホーン（少なくとも一部がレンズによって提供される）内に前方に導かれることを保証することができる。
【００３７】
代替的に、ツイータホーンは、スロート部をさらに備えてもよい。ツイータホーンのスロート部の内縁は、ツイータの外縁と連通していてもよく、スロート部の外縁は、レンズの前面の内縁と連通していてもよい。この代替的な構成は、ツイータからの音をツイータホーン内に導くための別のスロートを提供し、ツイータホーンの形状に対する制御の向上を可能にする。場合によっては、指数関数的な輪郭を有するホーンが好ましい。
【００３８】
ツイータホーンは、円錐台状または角錐台状であってもよい。加えてまたは代替的に、ツイータホーンの特定の構成要素が円錐台状または角錐台状であってもよい。たとえば、ツイータホーンのカップ、リムおよびスロートのうちの１つ以上が円錐台状または角錐台状であってもよい。これらは、内側円錐台面であってもよい。
【００３９】
ツイータおよびＬＥＤアセンブリを支持するキャリアが設けられてもよい。キャリアは、１つ以上のＬＥＤからツイータホーンに熱を伝導するように配置されてもよい。これは、ＬＥＤからの熱を放散させるための経路を提供することができる。たとえば、ツイータホーンのカップおよび／またはリムは、ＬＥＤから離れる方に熱を伝導して、この熱を空間内に放射してもよい。それによって、これは、使用時にＬＥＤによって生成される熱を放散させてもよい。この構成は、ＬＥＤの動作温度を低下させ、そのためＬＥＤの効率を向上させることができる。また、これは、過熱によって引き起こされるＬＥＤの損傷を防止または推測することができる。
【００４０】
キャリアは、ツイータホーンによって支持されてもよい。たとえば、キャリアは、ツイータホーンのカップに機械的に締結されてもよい。
【００４１】
ツイータホーンおよびキャリアは、単一の材料から形成されてもよい。有利なことに、これは、構成およびアセンブリを単純化することができ、ＬＥＤからの熱伝達のための表面領域を向上させることができる。また、これは、化粧面から割れ目を取り除く。
【００４２】
装置は、スピーカを支持するシャーシをさらに備えてもよい。
ツイータホーンは、シャーシに接続され、シャーシによって支持されてもよい。たとえば、ツイータホーンのリムまたはカップは、シャーシに機械的に締結され、シャーシによって支持されてもよい。
【００４３】
装置は、シャーシに接続され、シャーシによって支持された支持フレームをさらに備えてもよい。支持フレームは、ツイータホーンおよび／またはキャリアを支持してもよい。
【００４４】
装置は、シャーシによって支持されるコントローラと、コントローラからツイータおよび１つ以上のＬＥＤに電力および制御信号を供給するように構成された複数のワイヤとをさらに備えてもよい。
【００４５】
ワイヤは、（存在する場合）支持フレームに沿って延在して支持フレームによって支持されてもよく、または、ツイータホーンに沿って延在してツイータホーンによって支持されてもよい。ワイヤは、リボンケーブルの形態であってもよく、またはフォトエッチングされたトラックによってツイータホーン上に形成されてもよい。
【００４６】
本発明の第２の局面に従って、ツイータを備える一体型照明およびスピーカ装置で使用される環状発光ダイオード（ＬＥＤ）アセンブリが提供される。このＬＥＤアセンブリは、前方および後方方向ならびに径方向外側および径方向内側方向を規定する中心長手方向軸を有する。ＬＥＤアセンブリは、リング状に配置された１つ以上の発光ダイオード（ＬＥＤ）と、環状レンズ（または、レンズ構成）と、使用時に光をＬＥＤからレンズの方に反射させるように構成された環状反射器（または、反射器構成）とを備える。反射器は、レンズの後方に位置決めされて、光をＬＥＤから前方に反射させるように構成されてもよい。
【００４７】
この実施形態は、先行技術のＬＥＤアセンブリと比較して特定の利点を有する。本発明のＬＥＤアセンブリは、従前のアセンブリよりもコンパクトである。さらに、所望の色温度を得るために、反射器を色混合チャンバとして使用してもよい。
【００４８】
ＬＥＤは、低電力ＬＥＤであってもよい。有利なことに、このアセンブリのＬＥＤを動作させるのにヒートパイプは不要であってもよい。これにより、より柔軟にＬＥＤアセンブリを一体型照明およびラウドスピーカ装置に統合することができる。
【００４９】
第２の局面に係るＬＥＤアセンブリは、ＬＥＤを一体型照明およびスピーカ装置に統合するためのコンパクトで効率的な解決策を提供する。
【００５０】
１つ以上のＬＥＤは、光がＬＥＤの各々によって概して内側方向に反射器に向かって発せられるように取り付けられてもよい。たとえば、ＬＥＤは、ＬＥＤからの光が反射器に向かって内側に発せられ、次いで反射器によってレンズに向かって前方に導かれるように、垂直の態様で反射器の径方向外側に取り付けられてもよい。
【００５１】
代替的に、ＬＥＤは、ＬＥＤからの光が概して外側方向に反射器に向かって発せられるように垂直に取り付けられてもよい。反射器は、ＬＥＤの径方向外側に位置決めされて、光をレンズに向かって前方に導いてもよい。
【００５２】
反射器は、１つ以上の円錐台状（または、角錐台状）面を備えてもよい。
１つ以上のＬＥＤは、第１の色を有する１つ以上のＬＥＤと、第１の色とは異なる第２の色を有する１つ以上のＬＥＤとを備えてもよい。
【００５３】
リング状のＬＥＤは、第１の色を有する各ＬＥＤが第２の色を有するＬＥＤに隣接するように配置されてもよい。
【００５４】
本発明は、前方および後方方向ならびに径方向外側および径方向内側方向を規定する中心長手方向軸を有する一体型照明およびスピーカ装置も提供する。この一体型照明およびスピーカ装置は、シャーシと、上記の環状発光ダイオード（ＬＥＤ）アセンブリと、シャーシによって支持され、アセンブリの後方に位置決めされたスピーカとを備える。
【００５５】
一体型照明およびスピーカ装置は、アセンブリの径方向内側に位置決めされたツイータをさらに備えてもよい。
【００５６】
一体型照明およびスピーカ装置は、シャーシに接続され、シャーシによって支持された支持フレームをさらに備えてもよい。支持フレームは、アセンブリを支持してもよい。
【００５７】
一体型照明およびスピーカ装置は、シャーシによって支持され、アセンブリを支持するように構成されたグリルをさらに備えてもよい。グリルは、プレス加工グリルであってもよい。有利なことに、グリルは、装置の使用時に、ＬＥＤアセンブリから離れる方に熱を伝導して、それを空間内に放射することによって、ＬＥＤから熱を除去する。
【００５８】
導電性トラックがグリル上に設けられ、使用時に電力をアセンブリに供給するように構成されてもよい。
【００５９】
トラックのための電気接点がフレームに設けられてもよい。
一体型照明およびスピーカ装置は、少なくとも部分的に中心長手方向軸に沿って位置決めされ、シャーシに接続され、シャーシによって支持された磁極片をさらに備えてもよい。磁極片は、アセンブリを支持するように構成されてもよい。
【００６０】
磁極片は、ＬＥＤアセンブリから離れる方に熱を伝導するために使用されてもよい。熱は、装置のシャーシまたは磁石鋼の熱質量の方に伝導されてもよい。
【００６１】
本発明の第３の局面に従って、前方および後方方向ならびに径方向外側および径方向内側方向を規定する中心長手方向軸を有する一体型照明およびラウドスピーカ装置が提供される。この装置は、照明アセンブリと、照明アセンブリの後方に位置決めされたスピーカと、蓄電部材とを備える。蓄電部材は、照明およびラウドスピーカ装置が主電源に接続されていないときに電力を照明およびラウドスピーカ装置に供給するように構成される。
【００６２】
照明アセンブリは、上記のＬＥＤアセンブリであってもよい。
照明アセンブリは、スピーカの径方向内側に位置決めされてもよい。
【００６３】
一体型照明およびラウドスピーカ装置は、蓄電部材をさらに備えてもよい。蓄電部材は、照明およびラウドスピーカ装置が主電源に接続されていないときに電力を照明およびラウドスピーカ装置に供給するように構成されてもよい。
【００６４】
蓄電部材は、充電式バッテリまたはキャパシタであってもよい。
蓄電部材は、照明およびラウドスピーカ装置のハウジング内に収容される。
【００６５】
蓄電部材は、照明およびラウドスピーカ装置のハウジングとは別の、上記スピーカおよび上記照明アセンブリに電気的に接続されたハウジング（「アンビリカル」ハウジング）に収容されてもよい。
【００６６】
本発明は、上記の装置またはアセンブリを提供するように組み立てられることができる部品キットも提供する。
【００６７】
本発明は、上記の装置、アセンブリまたは部品キットの製造方法も提供する。
本発明に従って、上記のアセンブリは、一体型照明およびラウドスピーカ装置において使用されてもよい。
【００６８】
本発明の一局面に関連して記載される特徴および利点は、本発明の別の局面にも適用されてもよい。たとえば、第１の局面のＬＥＤアセンブリは、第１の色を有する１つ以上のＬＥＤと、第１の色とは異なる第２の色を有する１つ以上のＬＥＤとを備えてもよく、これらのＬＥＤは、第１の色を有する各ＬＥＤが第２の色を有するＬＥＤに隣接するように配置されてもよい。
【００６９】
本発明の他の好ましい特徴および利点は、添付の特許請求の範囲から明らかであろう。
本発明は、前方および後方方向ならびに径方向外側および径方向内側方向を規定する中心長手方向軸を有する一体型照明およびスピーカ装置も提供する。この一体型照明およびスピーカ装置は、リングツイータと、発光ダイオード（ＬＥＤ）と、リングツイータの径方向内側に位置決めされたチップおよびレンズアセンブリと、リングツイータの径方向外側に位置決めされたツイータホーンと、ツイータホーンの後方に位置決めされたスピーカとを備える。ツイータホーンは、ツイータの外縁と連通している内縁を有することにより、ツイータホーンは、使用時にツイータによって生成された音をスピーカから離れる方に導くためのガイドを形成する。
【００７０】
第１の実施形態と同様に、ツイータコーンを設けることにより、ツイータからのＨＦ音がＬＦスピーカから離れる方に導かれる。有利なことに、ホーンの存在によって、ＬＦスピーカとのＨＦ音の干渉は低減される。
【００７１】
レンズは、光がランベルト源であるかまたはスポットとして導かれるように構成されてもよい。これに関連して、レンズのフレネル特徴を使用して、光源自体の角度を変化させるのではなくレンズを回転させることによってスポットを導いてもよい。代替的に、レンズは、従来のレンズであってもよい。レンズは、一体型照明およびスピーカ装置がより指向性の光源（たとえば、作業照明用）を提供するように構成されてもよい。
【００７２】
本発明はさまざまな形で実用化されてもよく、ここで、一例として、いくつかの具体的な実施形態について以下の図面を参照しながら説明する。
【図面の簡単な説明】
【００７３】
【図１】公知のスピーカ装置１００の断面図である。
【図２】シングルフルレンジスピーカを含む一体型照明およびスピーカ装置の断面図である。
【図３ａ】分離したツイータをスピーカシステムにおける駆動ユニット内に同軸に統合するための第１の考えられるアプローチを示す図である。
【図３ｂ】分離したツイータをスピーカシステムにおける駆動ユニット内に同軸に統合するための第１の考えられるアプローチを示す図である。
【図３ｃ】分離したツイータをスピーカシステムにおける駆動ユニット内に同軸に統合するための第２の考えられるアプローチを示す図である。
【図４ａ】照明およびラウドスピーカ装置の第１の例の断面図である。
【図４ｂ】まばらな枠組みの上に統合型ツイータおよびＬＥＤ構成を含むプロトタイプ装置、および、プロトタイプ装置の検査結果のプロットを示す図であり、プロットの軸は、ｄＢ（縦軸）対周波数（Ｈｚ）（横軸）である。
【図５ａ】照明およびラウドスピーカ装置の第２の例の断面図である。
【図５ｂ】ステム上にツイータおよびＬＥＤ構成を含むプロトタイプ装置、および、プロトタイプ装置の検査結果のプロットを示す図であり、プロットの軸は、ｄＢ（縦軸）対周波数（Ｈｚ）（横軸）である。
【図６ａ】ツイータホーンを含むプロトタイプ装置を示す図である。
【図６ｂ】図６ａのプロトタイプ装置の検査結果のプロットを示す図であり、プロットの軸は、ｄＢ（縦軸）対周波数（Ｈｚ）（横軸）である。
【図７ａ】先行技術の同軸タイプのスピーカ設計を示す図である。
【図７ｂ】先行技術の同軸タイプのスピーカ設計を示す図である。
【図８】ツイータホーンの端縁に「羽根」を追加したツイータホーンを含むプロトタイプ装置、および、プロトタイプ装置の検査結果のプロットを示す図であり、プロットの軸は、ｄＢ（縦軸）対周波数（Ｈｚ）（横軸）である。
【図９ａ】本発明の第１の特定の実施形態の断面図である。
【図９ｂ】本発明の第１の特定の実施形態の断面図である。
【図１０】本発明の第２の特定の実施形態に係るＬＥＤアセンブリの分解組立図である。
【図１１】第２の特定の実施形態に係るＬＥＤアセンブリの動作中の光路のいくつかの例を示す図である。
【図１２】ＬＥＤが水平に取り付けられたＬＥＤアセンブリの断面斜視図および平面図である。
【図１３】一体型照明およびスピーカシステムにおける水平ＬＥＤリングアセンブリの分解組立断面図である。
【図１４】別の例の分解組立断面図である。
【図１５】代替的な例の分解組立断面図である。
【図１６ａ】別の例の断面図である。
【図１６ｂ】この例の平面図である。
【図１７】照明およびラウドスピーカ装置の別の例の断面図である。
【図１８】照明およびラウドスピーカ装置のさらなる例の断面図である。
【図１９】別の一体型照明およびラウドスピーカ装置の例の断面図である。
【図２０】一体型照明およびラウドスピーカ装置の別の例の断面図である。
【図２１】一体型照明およびラウドスピーカ装置の別の例の断面図である。
【図２２】一体型照明およびラウドスピーカ装置の別の例の断面図である。
【図２３】一体型照明およびラウドスピーカ装置の別の例の断面図である。
【図２４】一体型照明およびラウドスピーカ装置の別の例の断面図である。
【図２５】一体型照明およびラウドスピーカ装置の別の例の断面図である。
【図２６】装置の壁の中にポートを含む一体型照明およびラウドスピーカ装置の断面斜視図である。
【図２７】磁極片まで延在する同軸ポートを含む一体型照明およびラウドスピーカ装置の例の断面図である。
【図２８】装置に封入される空洞の容積を大きくするためにＬ字型部分を含む一体型照明およびラウドスピーカ装置の例の２つの断面図である。
【図２９】バッテリを含む一体型照明およびラウドスピーカ装置の例の断面図である。
【発明を実施するための形態】
【００７４】
詳細な説明
ボイスコイルの中心を通る熱経路を不要にするために、本発明は、多数の高効率低出力ＬＥＤを提供し、これらのＬＥＤは、集合的に同様のルーメン出力を可能にするが、最小限の熱除去を必要とする。いくつかの例では、８個以上のＬＥＤが装置内に設けられる。
【００７５】
本発明の実施形態によれば、ボイスコイルの中心を通るヒートパイプはもはや必要ない。しかし、高効率低出力ＬＥＤは、依然としていくらかの熱を生じさせ、この熱は、ＬＥＤに対する損傷を回避するために放散させる必要がある。いくつかの実施形態では、熱を除去するために金属インターフェイスおよび小さな金属表面領域が設けられる。
【００７６】
２つの例に従ったＬＥＤ統合
図４ａは、照明およびラウドスピーカ装置の第１の例の断面図である。第１の例に係る一体型照明およびスピーカ装置４００は、まばらなグリル４１０と、ＬＥＤリングアセンブリ４１２と、ツイータ鍔４１４と、１３ｍｍツイータ４１６とを備える。
【００７７】
第１の例は、統合型ツイータと、このツイータの上方に懸架されてまばらな枠組みの上に支持されたＬＥＤのリングとを提供する。ＬＥＤリングの背面とのＨＦ相互作用は、許容できないＨＦ再生につながるおそれがある。結果として、この例は好ましくない。図４ｂは、まばらな枠組みの上に統合型ツイータおよびＬＥＤ構成を含むプロトタイプ装置を示す。図４ｂは、プロトタイプツイータ装置の検査結果のプロットも示す。目的は、できる限り平坦な「周波数応答」を作り出すことにより、システムによって生成される音圧が全ての周波数で同一になるようにするというものである。
【００７８】
図５ａは、照明およびラウドスピーカ装置の第２の例の断面図である。第２の例に係る一体型照明およびスピーカ装置５００は、グリル５１０と、外側ＬＥＤアレイ５１２と、１３ｍｍツイータ５１４と、ツイータステム５１６とを備える。
【００７９】
この例では、ツイータは、ＬＥＤの環状構成とともにステム上に位置している。第２の例に関連付けられる１つの欠点は、後方に進んでいって可動ＬＦコーンと相互作用するツイータからのＨＦの望ましくない相互作用である。
【００８０】
図５ｂは、ステム上にツイータおよびＬＥＤ構成を含むプロトタイプ装置、および、プロトタイプツイータ装置の検査結果のプロットを示す図である。このプロットは、ＬＦコーンの上方に位置する手が加えられていないツイータのＨＦ性能に対する影響を示す。
【００８１】
ＨＦ相互作用の問題に対する音響的解決策
主駆動装置の可動コーンとのＨＦ相互作用は、共振効果を持ち込むことなく、ＨＦ音が後方に進むのを防止する（または、後方に進む音波の強度を減少させる）「ホーン」をツイータの周囲に導入することにより打ち消すことができる。図６ａは、ツイータホーンを含むプロトタイプ装置を示す図である。図６ｂは、図６ａのプロトタイプ装置の検査結果のプロットを示す図である。このプロットは、ＬＦコーンの周波数応答（黄色の点線で示される）およびＨＦツイータの周波数応答（緑色の実線で示される）を示す。
【００８２】
ＬＦ音は、ホーンとベゼルとの間の間隙を通って自由に逃げることができる。
この同軸タイプのスピーカ設計は、さまざまな先行技術の形態で、大抵はより大型の駆動ユニットの上に存在している（図７ａおよび図７ｂを参照）。
【００８３】
ツイータホーンの端縁に「羽根」を追加することによって音響性能をさらに向上させることができる。図８は、羽根付きツイータホーンの検査結果を示す図である。軸は、ｄＢ（縦軸）対周波数（Ｈｚ）（横軸）である。ツイータホーンのリムの切り込みの効果は、図８のプロットに見ることができる。
【００８４】
音響特性を向上させたＬＥＤスピーカ統合
図９ａは、本発明の第１の特定の実施形態の断面図である。第１の実施形態に係る一体型照明およびスピーカ装置９００は、ホーン／グリル９１０と、ＬＥＤおよびツイータキャリア９１２と、ＬＥＤ／ツイータアセンブリ９１４と、統合型コーンおよびダストキャップ９１６と、統合型シャーシ／ファシア９１８と、ばねマウント９２０と、Ｍ６保持ねじ９２２とを備える。
【００８５】
ツイータおよびＬＥＤアセンブリは、ＬＦコーン９１６の上方にグリル９１０によって懸架されたキャリア９１２内に取り付けられている。キャリアは、アルミニウムまたは亜鉛または高熱伝導性のその他の材料でできていてもよい。キャリア９１２は、成形されたグリル９１０を介してＬＥＤから大気中に熱を移動させる。
【００８６】
ＬＥＤは、垂直の「墓標」の向きに配置されている。ＬＥＤリングの厚みを小さくしてＬＥＤの個数を８個〜２０個に増やすために、反射器が設けられる。
【００８７】
ＬＥＤアセンブリのレンズは、ツイータホーンの一部になる。
図９ａに見られるように、ツイータホーンは、グリルに「羽根」を形成している。グリルは、後方のスピーカからのＬＦ音が通過することを可能にする。
【００８８】
ボイスコイルの直径は、ＬＥＤツイータキャリアを通過して統合型コーンおよびダストキャップをＬＦ駆動装置で使用するために、大きくされてもよい。これは、空隙漏れの問題に対処して、音響性能の向上を示す装置を提供する。
【００８９】
光源は、好適には引っ込んでいる。ツイータおよびＬＥＤからのワイヤは、見えないようにグリルの下に布設されている。
【００９０】
この好ましい特定の実施形態の変形例が図９ｂに示されている。この実施形態は、成形されたキャリア９５０を使用してＬＥＤキャリアを懸架しており、ＬＥＤキャリアは、金属ＬＥＤキャリアであってもよい。成形されたキャリアは、キャリアの視認性を減少させるように透明または暗い色の材料でできていてもよい。キャリアの前方には化粧グリル９５２が設置されてもよい。
【００９１】
赤外線（ＩＲ）近接センサおよびレンズ９５４は、この変形例に統合されており、ツイータの上方に設置されて、「フェーズプラグ」の役割を果たす。ＬＥＤ、ツイータおよびＩＲ近接センサからのワイヤは、リボンケーブル９５６を介してこのキャリアのアームのうちの１つの下に布設されている。マイクロフォンアレイのためのフレキシブル回路９５８も設けられる。ロールサラウンド９６０は、示されているように構成されてもよく、またはより好ましくは、反転されてもよい。
【００９２】
この実施形態のさらなる変形例では、ツイータの上方に分散コーンが設置され、このコーンの最上部にＩＲセンサが設置される。ＩＲ近接センサのワイヤは、このコーンを通るように布設されてＬＥＤおよびツイータケーブルと結合し、次いで、リボンケーブル９５６を介してキャリアのアームの下に布設されている。
【００９３】
第１の実施形態のこれらの変形例の特徴は、当業者によって理解されるように組み合わせられてもよい。
【００９４】
ＬＥＤアセンブリ
図１０は、本発明の第２の特定の実施形態に係るＬＥＤアセンブリ９１４，１０００の分解組立図である。ＬＥＤアセンブリ１０００は、ＬＥＤ鍔１０１０と、レンズ／ホーン１０１２と、垂直径方向ＬＥＤアレイ１０１４と、熱インターフェイス１０１６と、白色光学反射器１０１８と、１３ｍｍツイータ１０２０とを備える。
【００９５】
図１１は、本発明の第２の特定の実施形態に係るＬＥＤアセンブリ９１２，１０００の動作中の光路のいくつかの例を示す図である。
【００９６】
垂直の向きのＬＥＤは、ツイータに向かって内側に発し得る。円錐形に研磨されたポリカーボネート白色光学反射器は、光をホーン輪郭レンズを介して前方および外側に向け直す。
【００９７】
ＬＥＤの個数を２０個に増やすことにより、クールおよびウォームＬＥＤパッケージを交互にして輝度を独立して制御することで色混合の可能性が向上する。
【００９８】
構成の代替例
ＬＥＤを垂直の「墓標」の構成で取り付けるのとは対照的に、ＬＥＤ１２１０は、図１２のＬＥＤアセンブリに示されるように水平に取り付けられてもよい。この代替例では、ＬＥＤ１２１０は、リング状に水平に配置される。ＬＥＤからの光は、直接レンズ１２２０を照らすか、または反射器１２３０を使用してレンズの方に反射されるかのいずれかである。レンズは、光を空間内に集束させ、そこから、レンズは、均一に照らされたリング１２４０のように見える。レンズは、ドーナツ形状であってもよい。この例では、反射器は、白色ポリカーボネート部分の研磨面によって提供される。光路の例は、１２５０，１２５２および１２５４で示されている。光線１２５０は、反射器１２３０からはね返るのに対して、光線１２５２は、直接ＬＥＤからレンズまで進む。
【００９９】
特定の例では、８個のＬＥＤを２４ｍｍ直径のリング状に配置することができる。直径は、図１２において「ｘ」によって示される。
【０１００】
図１３は、一体型照明およびスピーカシステムにおける上記の水平ＬＥＤリングアセンブリの分解組立断面図である。この例では、ＬＥＤアセンブリは、ＬＥＤから熱を除去して電力をＬＥＤまで持って行くキャストフレーム１３１０によって支持されている。化粧プレス加工グリル１３２０が最上部に設置されている。中心孔は、スピーカコーンの中心から高周波数を通過させることを可能にする。
【０１０１】
図１４は、上記の例と同様の別の例の分解組立断面図である。この例では、水平ＬＥＤリングは、上記の例と同様に、熱を管理して電力をＬＥＤまで持って行くキャストフレーム内に保持されている。図１４の例では、中心ツイータ１４１０は、ＬＥＤリングの中心に設置されている。化粧グリルが最上部に設置されている。
【０１０２】
図１５の分解組立断面図に示される代替例では、熱を管理して電力をＬＥＤまで持って行くキャストフレーム１５１０内に保持されたＬＥＤアセンブリモジュールに、小さなＬＥＤが設けられている。化粧プレス加工グリル１５２０が最上部に設置されている。
【０１０３】
図１６ａは、水平ＬＥＤリングアセンブリがどのように一体型照明およびスピーカシステムに統合され得るかの別の例の断面図である。この例では、ＬＥＤアセンブリは、ＬＥＤアセンブリから離れるように熱を伝導してそれを空間内に放射することによってＬＥＤから熱を除去するプレス加工グリルによって支持されている。電力は、グリルの後方のフォトエッチングされたトラック１６１０を介してＬＥＤに伝えられる。トラックのための電気接点１６２０がフレームに設けられている。
【０１０４】
図１６ｂは、電力をＬＥＤアセンブリに提供するフォトエッチングされたトラック１６１０が三次元形式のグリル１６３０上のグリルパターン間に見られる上記の例の平面図である。
【０１０５】
図１７は、水平ＬＥＤリングアセンブリ１７１０とツイータ１７２０とが統合された照明およびラウドスピーカ装置の別の例の断面図である。水平ＬＥＤリングアセンブリは、電源線を隠してＬＥＤから熱を除去するプレス加工グリルによって支持されている。図１７の構成では、リングはより幅広であり、矢印１７３０によって示されるように高周波数が同軸ツイータから中心孔を通過することを可能にする。これは、ＬＥＤリングアセンブリ内のより多くのＬＥＤに対して空間も提供する。
【０１０６】
図１８は、ＬＥＤがツイータの上方のケージ内に取り付けられた照明およびラウドスピーカ装置のさらなる例の断面図である。ＬＥＤは、ツイータの最上部のケージ内に支持されており、この設置は、高周波数を分散させ、「ビーミング（beaming）」フォームツイータを減少させることに役立つ。ビーミングは、ツイータから出力された高周波数音が装置の真正面では最も聞こえるが、装置の「法線」方向から離れた角度では聞こえにくくなる場合に起こる。高周波数音は、低周波数よりも大幅に指向性であるため、ツイータが向いている方向（「法線」方向）からの角度が大きくなると、ＨＦ音の音量は小さくなるが、ＬＦは小さくならない。この影響を打ち消すために、「音響レンズ」または薄面のセットがツイータの正面に設置されてもよい。そして、この構造は、ＨＦ音を向け直して分散させるように作用する。
【０１０７】
図１９は、ＬＥＤリングアセンブリ内のＬＥＤが垂直に取り付けられた別の一体型照明およびラウドスピーカ装置の例の断面図である。この例では、ＬＥＤは、垂直に配置され、反射器１９１０によって空間内に反射され、ドーナツ形状のレンズ１９２０によって集束される。これは、ＬＥＤの数は多くなるがリングの直径ｘは小さくなり得る（示される例では、２１ｍｍリングにおいて１６個）ことを意味する。この多くのＬＥＤは、色温度制御を仮定して、示されているように交互の色温度で配置することも可能である。光路の例が矢印１９３０によって示されている。
【０１０８】
図２０は、一体型照明およびラウドスピーカ装置の別の例の断面図である。この例では、垂直ＬＥＤリングが磁極片上に設けられている。垂直ＬＥＤリングは、磁極片上に取り付けられるのに十分に細長い。矢印２０１０によって示されるように、この磁極片を介して熱が管理される。
【０１０９】
図２１は、一体型照明およびラウドスピーカ装置の別の例の断面図である。この例では、垂直ＬＥＤリングアセンブリは、統合型スピーカを有する磁極片上に設けられている。垂直ＬＥＤリングは、高周波数音がその中心を通過することを可能にする。これは、ＬＥＤアセンブリをツイータの上方に取り付けることができることを意味する。矢印２１１０によって示されるように、この磁極片を介して熱が管理される。
【０１１０】
図２２は、一体型照明およびラウドスピーカ装置の別の例の断面図である。この例では、統合型ドームツイータ２２３０を有する垂直ＬＥＤリングアセンブリ２２２０とともに、化粧面を有する凸状スピーカコーン２２１０が設けられている。凸状コーンは、キャビネット内により大きな容積を提供するため、空間への音の伝わりを向上させ、製品の化粧面になる。矢印２２４０によって示されるように、熱は、中心磁極片を介して構成要素から除去されてもよい。中心磁極片は、電力を構成要素に供給するのにも使用されてもよい。
【０１１１】
図２３は、一体型照明およびラウドスピーカ装置の別の例の断面図である。この例は、グリルと、化粧ベゼルと、ＬＥＤキャリアとを含み、これらは全て、単一の構成要素２３１０に一体化されている。この一体型構成要素がＬＥＤツイータアセンブリ２３２０を支持している。
【０１１２】
有利なことに、一体型グリルおよびＬＥＤキャリア構成要素は、構築および組み立てを単純化し、ＬＥＤからの熱伝達のための表面領域を向上させる。また、この構成は、化粧面から割れ目を取り除く。
【０１１３】
図２４は、一体型照明およびラウドスピーカ装置の別の例の断面図である。この例では、ＬＥＤおよびツイータアセンブリ２４１０は、磁極片スタンドオフ２４２０上に支持されており、磁極片スタンドオフ２４２０は、グリルから切り離されていてもよい。
【０１１４】
有利なことに、この構成は、ＬＥＤを磁石鋼の熱質量に熱的に接続することによってＬＥＤからの熱除去のためのより頑強な熱経路を提供する。照明およびスピーカシステムのより強力な変形例は、この構成から恩恵を受けることができる。
【０１１５】
図２５は、一体型照明およびラウドスピーカ装置の別の例の断面図である。この例は、リングラジエータツイータ２５１０と、リングラジエータツイータの中心に設置された単一のラージチップＬＥＤおよびレンズアセンブリ２５２０とを含む。この構成は、従来のレンズを使用してより指向性の光源を提供する。ＨＦ音の後方への漏れを防止するために音響ホーン２５３０が依然として使用されている。
【０１１６】
これの別のバージョンでは、正方形ベゼルを取り外して、一体型照明およびラウドスピーカ装置を天井に引っ込ませて取り付けることが可能である。これにより、照明スピーカユニットが天井と面一になるように照明スピーカユニットを設置することができ、天井の漆喰の中に隠すことができる選択肢がもたらされる。
【０１１７】
さらなる改良
図２６は、装置の壁の中にポートを含む一体型照明およびラウドスピーカ装置の断面斜視図である。これらのポートは、スピーカの低音応答を大きく向上させることができる。滑らかな壁を有するポート２６１０が製品の壁に組み込まれており、１つ以上のポート２６２０において空間に出て行っている。ポートは、単一である場合もあれば、多くが径方向に配列されている場合もある。これらのポートは、可聴乱れを減少させるために入口および出口が広げられていてもよい。これらのポートおよびチャネルは、滑らかな空気流を可能にするためにとがった角を有していなくてもよい。多くの異なる壁埋め込み型構成が可能である。
【０１１８】
図２７は、磁極片を下行する同軸ポート２７１０を含む一体型照明およびラウドスピーカ装置の例の断面図である。
【０１１９】
図２８は、装置に封入される空洞の容積を大きくするためにＬ字型部分を含む一体型照明およびラウドスピーカ装置の例の２つの断面図である。封入される容積が大きくなることは、スピーカの性能が良くなることを意味する。装置は、この容積を大きくするためにＬ字型形状を形成し得るが、装置を天井空洞にはめ込むことも依然として可能である。空気流を有利に向上させるために、可能であれば装置の内部空洞において滑らかな曲線が使用される。
【０１２０】
図２９は、バッテリを含む一体型照明およびラウドスピーカ装置の例の断面図である。装置におけるこのバッテリは、システムがモード間を滑らかに移行することを可能にする。充電式バッテリ２９１０は、製品に、すなわち本体に組み込まれてもよい。代替的にまたは加えて、充電式バッテリは、アンビリカルパック２９２０内に設けられてもよい。
【０１２１】
バッテリは、使用中絶えず充電されてもよい。それは、およそ１０分の寿命を提供することができ、照明スイッチが誤って切り換えられた場合に円滑な移行を保証する。この場合、設定は保存され、スピーカポップはない。ユーザは、スイッチをオンに戻すように通知され、アプリまたは音声を使用して照明を制御してもよい。このとき、照明スイッチは、たとえばシステムをリセットするためのジェスチャとしてオン／オフオン／オフパターンを使用することによって、入力として使用可能である。
【０１２２】
代替的な実施形態では、充電式バッテリの代わりにキャパシタが使用されてもよい。キャパシタは、装置が接続されている間に提供される主電源からのエネルギを蓄えることができる。主電源への電力が切断された場合、キャパシタは、蓄えられた電気がなくなる時まで、蓄えられた電気を各々の個々の装置に供給する。
【０１２３】
定義
本願の文脈において、「内部」および「内側」という用語は、装置の中心軸に近いまたは装置の中心軸の方への構成要素および方向のことである。同様に、「外部」および「外側」は、装置の中心軸からさらに離れる構成要素および方向のことである。
【０１２４】
「前方」および「後方」は、それぞれ、装置が天井に設置された場合における空間または天井空洞の方への方向のことである。
【０１２５】
「環状」は、リング形状であることを意味する。示されている実施形態では、環状構成要素は、円形リングとして示され、「ドーナツ形状」と称されている。しかし、これらの構成要素は、円形でなくてもよい。それらは、正方形または長方形または多数の他の形状であってもよい。全ての場合に、それらは、環状構成に特有の内側孔を有する。
【０１２６】
本願の文脈において、「連通している」という表現は、空気が構成要素間を円滑に流れることができるように隣接して設置されていることを意味する。結果として、音波も、互いに連通している構成要素間を進むことができる。「隣接している」という意味の範囲内で、構成要素は、さらなる構成要素を介在させた状態で離間されてもよく、これは、それらの構成要素（スペーサ、ワッシャ、熱結合材料など）間を空気が円滑に流れることを可能にする。
【０１２７】
「円錐台状」は、円錐台の形状を有することを意味する。「角錐台状」は、角錐台の形状を有することを意味する。「内側円錐台面」は、円錐台の内側面であり、「外側円錐台面」は、外側面である。
【０１２８】
環状ＬＥＤアセンブリが円形の「ドーナツ形状の」環状アセンブリでない場合、円錐台状面ではなく角錐台状面が反射器およびツイータホーンにとってより適切であろう。
【０１２９】
組み合わせ
多数の異なる有利な特徴を示すためにさまざまな実施形態について上記してきた。当業者によって理解されるように、これらの特徴は、さまざまな形で組み合わせられて、多くの異なる照明およびスピーカ装置を作製してもよい。
【図１】
2021522700.tif 000003
【図２】
2021522700.tif 000004
【図３ａ】
2021522700.tif 000005
【図３ｂ】
2021522700.tif 000006
【図３ｃ】
2021522700.tif 000007
【図４ａ】
2021522700.tif 000008
【図４ｂ】
2021522700.tif 000009
【図５ａ】
2021522700.tif 000010
【図５ｂ】
2021522700.tif 000011
【図６ａ】
2021522700.tif 000012
【図６ｂ】
2021522700.tif 000013
【図７ａ】
2021522700.tif 000014
【図７ｂ】
2021522700.tif 000015
【図８】
2021522700.tif 000016
【図９ａ】
2021522700.tif 000017
【図９ｂ】
2021522700.tif 000018
【図１０】
2021522700.tif 000019
【図１１】
2021522700.tif 000020
【図１２】
2021522700.tif 000021
【図１３】
2021522700.tif 000022
【図１４】
2021522700.tif 000023
【図１５】
2021522700.tif 000024
【図１６ａ】
2021522700.tif 000025
【図１６ｂ】
2021522700.tif 000026
【図１７】
2021522700.tif 000027
【図１８】
2021522700.tif 000028
【図１９】
2021522700.tif 000029
【図２０】
2021522700.tif 000030
【図２１】
2021522700.tif 000031
【図２２】
2021522700.tif 000032
【図２３】
2021522700.tif 000033
【図２４】
2021522700.tif 000034
【図２５】
2021522700.tif 000035
【図２６】
2021522700.tif 000036
【図２７】
2021522700.tif 000037
【図２８】
2021522700.tif 000038
【図２９】
2021522700.tif 000039
【国際調査報告】
2021522700.tif 000040
2021522700.tif 000041
2021522700.tif 000042
2021522700.tif 000043